(57)【要約】      （修正有）【課題】棒体と前腕支持棒との調整が可能で、ロフストランドクラッチの長さをそれぞれの使用者に応じて調整することができる、歩行補助器具である前腕部支持型杖を提供する。【解決手段】ロフストランドクラッチは、杖部材１０と、調整部材２０と、前腕支持部材３０と、第一錠部材を有し、杖部材は、棒体１１及び棒体の上端に取り付けられるグリップ１２を備え、調整部材は、棒体に摺動可能に取り付けられ、前腕支持部材は、その底端が調整部材の挿設凹部に固定される前腕支持棒３１、及び前腕支持棒の上端に取り付けられるカフ３２を備え、第一錠部材は、調整部材を棒体に選択可能に位置決めてロックさせる。【選択図】図１
0003211443.tif 000002
【実用新案登録請求の範囲】
【請求項１】
棒体及び該棒体の上端に取り付けられるグリップを備える杖部材と、
前記棒体に摺動可能に取り付けられる調整部材と、
その底端が、前記調整部材の挿設凹部に固定される前腕支持棒、及び該前腕支持棒の上端に取り付けられるカフを備える前腕支持部材と、
前記調整部材を棒体に選択可能に位置決めてロックさせる第一錠部材、を有することを特徴とするロフストランドクラッチ。
【請求項２】
前記棒体が伸縮可能であることを特徴とする請求項１に記載のロフストランドクラッチ。
【請求項３】
前記前腕支持棒が伸縮可能であることを特徴とする請求項２に記載のロフストランドクラッチ。
【請求項４】
前記調整部材は、棒体の周囲に形成される貫設穴及び、該貫設穴に対して傾斜状を呈すると共に、該貫設穴と別個に形成される挿設凹部を有し、該挿設凹部に前記前腕支持棒の底端が挿設固定されることを特徴とする請求項１に記載のロフストランドクラッチ。
【請求項５】
前記調整部材の側壁に、貫設穴と連通する第一ロック穴が形成され、
前記第一錠部材は、棒体に嵌設されると共に、第一ボタンを備え、該第一ボタンは、弾性移動可能に棒体の側壁に貫設されると共に、外端を備え、
そのうち、前記第一ボタンの外端が調整部材の第一ロック穴に係合されることによって、前記調整部材を棒体に位置決めてロックさせ、また、前記第一ボタンの外端を押圧して第一ロック穴から離脱させることによって、前記調整部材を棒体に対して摺動可能状態にすることを特徴とする請求項４に記載のロフストランドクラッチ。
【請求項６】
前記前腕支持棒は、第一先腕支持管と、第二先腕支持管と、第二錠部材を備え、そのうち、該第二先腕支持管は、伸縮可能に第一先腕支持管に連接されると共に、調整部材の挿設凹部に固定され、該第二錠部材が選択可能に第一先腕支持管を第二先腕支持管に位置決めてロックすることを特徴とする請求項１に記載のロフストランドクラッチ。
【請求項７】
前記第二先腕支持管は、第一先腕支持管に環装され、その相対する両端の間に、複数の位置決め穴が一直線に配列するように形成され、
前記第二錠部材は、第一先腕支持管に嵌設されると共に、第二ボタンを備え、該第二ボタンは、弾性移動可能に第一先腕支持管の側壁に貫設されると共に、外端を備え、
そのうち、前記第二ボタンの外端が第二先腕支持管の一方の位置決め穴に係合されることによって、第一先腕支持管を第二先腕支持管に位置決めてロックし、また、前記第二ボタンの外端を押圧して位置決め穴から離脱させることによって、第一先腕支持管を第二先腕支持管に対して摺動可能状態とすることを特徴とする請求項６に記載のロフストランドクラッチ。
【請求項８】
前記棒体は、第一連接管と、第二連接管と、第三錠部材を備え、該第一連接管は、調整部材の貫設穴に貫設され、該第二連接管は、伸縮可能に第一連接管に連接され、その第三錠部材が選択可能に第一連接管を第二連接管に位置決めることによりロック状態となることを特徴とする請求項１に記載のロフストランドクラッチ。
【請求項９】
前記第一連接管は、第二連接管に環装されると共に、その側壁を貫通する第二ロック穴を備え、
前記第三錠部材は、第二連接管に嵌設されると共に、第三ボタンを備え、該第三ボタンは、弾性移動可能に第二連接管の側壁の第三貫通穴に嵌設されると共に、外端を備え、
前記第三ボタンの外端が第一連接管の第二ロック穴に係合されて、第二連接管が第一連接管に位置決めされることによりロック状態とし、また、前記第三ボタンの外端を押圧して第二ロック穴から離脱させることによって、第二連接管が第一連接管に対して摺動可能状態となることを特徴とする請求項８に記載のロフストランドクラッチ。
【請求項１０】
前記棒体はさらに、第三連接管及び第四錠部材を備え、該第三連接管は、伸縮可能に第二連接管に連接され、該第四錠部材が選択可能に第三連接管を第二連接管に位置決めることによりロック状態とすることを特徴とする請求項８に記載のロフストランドクラッチ。
【請求項１１】
前記第二連接管は、第三連接管に環装され、その相対する両端の間に、複数の第二位置決め穴が一直線に配列するように形成され、
前記第四錠部材は、第三連接管に嵌設されると共に、第四ボタンを備え、該第四ボタンは、弾性移動可能に第三連接管の側壁に貫設されると共に、外端を備え、
そのうち、前記第四ボタンの外端が第二連接管の一方の第二位置決め穴に係合されて第三連接管が第二連接管に位置決められることによりロック状態とし、また、
前記第四ボタンの外端を押圧して第二位置決め穴から離脱させることによって、第三連接管が第二連接管に対して摺動可能状態となることを特徴とする請求項１０に記載のロフストランドクラッチ。
【請求項１２】
前記第三連接管の側壁を貫通するように第四貫通穴が形成され、
前記第四ボタンが弾性移動可能に第三連接管の側壁の第四貫通穴に貫設され、
そのうち、前記第四ボタンの外端が選択可能に第二連接管の一方の第二位置決め穴に係合されることを特徴とする請求項１１に記載のロフストランドクラッチ。
【考案の詳細な説明】
【技術分野】
【０００１】
本考案は、特に歩行補助器具である前腕部支持型杖に関するものである。
【背景技術】
【０００２】
杖は通常、歩行補助器具として使用するものであり、その殆どが木または金属からなる棒体であって、リハビリにも使用される重要な医療補助器具であり、例えば、前腕松葉杖や、腋窩松葉杖などの杖を有する。
このような杖を利用すれば、患者をサポートして足の負担を軽減できると共に、歩行時の安定性も向上するので、患者の歩行を補助することができる。
【先行技術文献】
【特許文献】
【０００３】
【特許文献１】特開2013-17715号公報
【考案の概要】
【考案が解決しようとする課題】
【０００４】
しかしながら、従来の杖における棒体は長くて調整することができない上、使用しない時も、縮めて収納することができないという問題があった。
【課題を解決するための手段】
【０００５】
本考案に係るロフストランドクラッチは、
棒体及び該棒体の上端に取り付けられるグリップを備える杖部材と、
前記棒体に摺動可能に取り付けられる調整部材と、
その底端が、前記調整部材の挿設凹部に固定される前腕支持棒、及び該前腕支持棒の上端に取り付けられるカフを備える前腕支持部材と、
前記調整部材を棒体に選択可能に位置決めてロックさせる第一錠部材、を有するものである。
【考案の効果】
【０００６】
前記の構造によれば、本考案に係るロフストランドクラッチは、棒体が伸縮可能であることから、長さが調整可能となり、コンパクトな状態に縮めることができると共に、前記前腕支持部材を下方へ摺動させて杖部材の付近まで縮退調整することもでき、このように、ロフストランドクラッチを縮めれば、全体の体積も小さくなるため、収納しやすくなる。また、その棒体と前腕支持棒とも調整が可能であることから、本考案に係るロフストランドクラッチの長さをそれぞれの使用者に応じて調整することもできる。
【図面の簡単な説明】
【０００７】
【図１】本考案の実施例の斜視図である。
【図２】図１の部分分解側面図である。
【図３】図１の側面図である。
【図４】図３のＡ-Ａ線の側面断面図である。
【図５】図３のＢ-Ｂ線の側面断面図である。
【図６】本考案の実施例において、杖部材を部分的に縮めて調整部材及び前腕支持部材を上方に摺動した状態を示す側面図である。
【図７】図６のＣ-Ｃ線の側面断面図である。
【図８】本考案の実施例において、調整部材及び前腕支持部材を下方に摺動させて杖部材を縮めた状態を示す側面図である。
【図９】本考案の実施例において、杖部材を完全に縮めて調整部材及び前腕支持部材を上方に摺動させた状態を示す側面図である。
【図１０】図９のＤ-Ｄ線の側面断面図である。
【考案を実施するための形態】
【０００８】
図１、図２、図９、図１０に示すように、本考案に係るロフストランドクラッチは、杖部材１０と、調整部材２０と、前腕支持部材３０と、第一錠部材４０を有し、その内、杖部材１０は、棒体１１及びグリップ１２を備え、該棒体１１は、伸縮可能であり、上端を有し、該グリップ１２は、その棒体１１の上端に取り付けられる。
【０００９】
図６及び図７に示すように、前記調整部材２０は、摺動可能に棒体１１に取り付けられ、上端面と、底端面と、貫設穴２１と、挿設凹部２２を備え、そのうち、貫設穴２１は、棒体１１の周囲に環装されると共に、調整部材２０における上端面から底端面にかけて形成され、該挿設凹部２２は、貫設穴２１に対して傾斜状を呈するように調整部材２０の端面に凹設され、前記貫設穴２１と別個に形成される。
【００１０】
前記前腕支持部材３０は、使用者の前腕部を支えて使用者をサポートしたり、患者の足の負担を軽減したりして歩行の安定性を確保するものであり、前腕支持棒３１及びカフ３２を備え、該前腕支持棒３１は、伸縮可能であり、上端及び底端を有し、その底端は、調整部材２０の挿設凹部２２に挿設固定され、該カフ３２は、前腕支持棒３１の上端に取り付けられ、前記第一錠部材４０が選択可能に調整部材２０を棒体１１に位置決めることによりロックする。
【００１１】
図３及び図６に示すように、前記前腕支持部材３０と調整部材２０とは、杖部材１０の棒体１１に沿って摺動することができる。図３に示すように、本考案に係るロフストランドクラッチを使用する時は、前腕支持部材３０を杖部材１０の上方に延出させるように、調整部材２０を棒体１１に沿って上方へ摺動させて、第一錠部材４０により調整部材２０を位置決めてロックさせる。この構成によれば、前腕支持部材３０が杖部材１０に対してしっかりと固定されるので、本考案に係るロフストランドクラッチを長くて調整してロック状態となると、使用者をサポートして歩行を補助することができる。
【００１２】
図６に示すように、本考案に係るロフストランドクラッチを縮めて収納する場合は、第一錠部材４０を解錠して、調整部材２０及び前腕支持部材３０を棒体１１に対して摺動可能な状態にし、それら調整部材２０及び前腕支持部材３０を下方に摺動させながら、本考案に係るロフストランドクラッチを縮めれば、体積を小さくできるので、収納しやすくなる。
【００１３】
図１０に示すように、前記棒体１１は、中空状を呈し、その上端の近傍に側壁を貫通する第一貫通穴１１０が形成され、前記調整部材２０の側壁に、貫設穴２１と連通する第一ロック穴２３が形成される。
前記第一錠部材４０は、棒体１１の上端近傍の内部に嵌設されると共に、第一取付座４１と、第一ボタン４２と、第一弾性ユニット４３を備え、そのうち、第一取付座４１は、第一貫通穴１１０と対応するように棒体１１の内部に嵌設され、該第一ボタン４２は、第一貫通穴１１０に貫設されつつ第一取付座４１に嵌合されると共に、外端を備え、該第一弾性ユニット４３は、第一取付座４１に嵌め込まれ、その両端がそれぞれ第一取付座４１及び第一ボタン４２に当接され、この構造によれば、第一ボタン４２が弾性移動可能に棒体１１の側壁の第一貫通穴１１０に嵌設されることから、その第一ボタン４２の外端を調整部材２０の第一ロック穴２３に係合させると、調整部材２０が棒体１１に位置決めてロックされ、反対に、その第一ボタン４２の外端を押圧して第一ロック穴２３から離脱させると、調整部材２０を棒体１１に対して摺動させることができる。
【００１４】
図２乃至図４に示すように、前記前腕支持棒３１は、第一先腕支持管３１１と、第二先腕支持管３１３と、第二錠部材５０を備え、そのうち、第二先腕支持管３１３は、伸縮可能に第一先腕支持管３１１に連接されると共に、調整部材２０の挿設凹部２２に固定され、該第二錠部材５０が選択可能に第一先腕支持管３１１を第二先腕支持管３１３に位置決めてロックする。この構成によれば、それら第一先腕支持管３１１及び第二先腕支持管３１３が伸縮可能に連接されることから、それぞれの使用者に応じて前腕支持棒３１の長さを適当に調整することができる。
【００１５】
また、前記第一先腕支持管３１１は、その側壁を貫通する第二貫通穴３１２を備え、前記第二先腕支持管３１３は、第一先腕支持管３１１に環装され、その相対する上下両端の間に、複数の位置決め穴３１４が一直線に配列するように形成され、前記第二錠部材５０は、第一先腕支持管３１１の内部に嵌設されると共に、第二取付座５１と、第二ボタン５２と、第二弾性ユニット５３を備え、そのうち、第二取付座５１は、第二貫通穴３１２と対応するように第一先腕支持管３１１の内部に嵌設され、該第二ボタン５２は、第二貫通穴３１２に貫設されつつ第二取付座５１に嵌合されると共に、外端を備え、該第二弾性ユニット５３は、第二取付座５１に嵌め込まれ、その両端がそれぞれ第二取付座５１及び第二ボタン５２に当接され、この構造によれば、第二ボタン５２が弾性移動可能に第一先腕支持管３１１の側壁の第二貫通穴３１２に嵌設されることから、その第二ボタン５２の外端を第二先腕支持管３１３の一方の位置決め穴３１４に係合させると、第一先腕支持管３１１を第二先腕支持管３１３に位置決めてロックでき、反対に、その第二ボタン５２の外端を押圧して位置決め穴３１４から離脱させると、第一先腕支持管３１１を第二先腕支持管３１３に対して摺動させることができる。
【００１６】
図６及び図７に示すように、前記棒体１１はさらに、第一連接管１１１と、第二連接管１１３と、第三錠部材６０を備え、そのうち、第一連接管１１１は、調整部材２０の貫設穴２１に貫設され、該第二連接管１１３は、伸縮可能に第一連接管１１１に連接され、その第三錠部材６０が選択可能に第一連接管１１１を第二連接管１１３に位置決めてロックさせる。この構成によれば、図６に示すように、その第一連接管１１１及び第二連接管１１３が伸縮可能に連接されることから、第三錠部材６０を解錠状態にすると、それら第一連接管１１１と第二連接管１１３とを伸ばしたり縮めたりして調整することができる。故に、本考案によれば、前記棒体１１の長さを短くすることにより、本考案に係るロフストランドクラッチ全体の体積を縮小できるので、収納しやすくなる。
【００１７】
また、前記第一連接管１１１は、第二連接管１１３に環装されると共に、その側壁を貫通する第二ロック穴１１２を備え、該第二連接管１１３は、その側壁を貫通する第三貫通穴１１４を備える。
前記第三錠部材６０は、第二連接管１１３の内部に嵌設されると共に、第三取付座６１と、第三ボタン６２と、第三弾性ユニット６３を備え、そのうち、第三取付座６１は、第三貫通穴１１４と対応するように第二連接管１１３の内部に嵌設され、該第三ボタン６２は、第三貫通穴１１４に貫設されつつ第三取付座６１に嵌合されると共に、外端を備え、該第三弾性ユニット６３は、第三取付座６１に嵌め込まれ、その両端がそれぞれ第三取付座６１及び第三ボタン６２に当接され、この構造によれば、第三ボタン６２を弾性移動可能に第二連接管１１３の側壁の第三貫通穴１１４に嵌設させることができる。
【００１８】
また、本考案の構成によれば、第三ボタン６２の外端が第一連接管１１１の第二ロック穴１１２に係合されると、第二連接管１１３が第一連接管１１１に位置決められてロックされ、反対に、その第三ボタン６２の外端を押圧して第二ロック穴１１２から離脱すると、第二連接管１１３が第一連接管１１１に対して摺動となるので、棒体１１の長さを短く調整することができる。
【００１９】
図７に示すように、前記調整部材２０における、底端端面の貫設穴２１の周囲に周縁部が設けられ、該周縁部に傾斜面２４が形成されることが好ましく、この構造を有すれば、その第一錠部材４０を解錠する時、調整部材２０が第一連接管１１１に沿って摺動可能となることから、調整部材２０を棒体１１の一端側へ摺動させると、調整部材２０が傾斜面２４を介して第三ボタン６２と当接して第三弾性ユニット６３を押圧し、第三ボタン６２を第一連接管１１１の第二ロック穴１１２から離脱させ、第二連接管１１３が第一連接管１１１に対して摺動可能となり、本考案に係るロフストランドクラッチの長さを縮めることができる。故に、使用者が第一錠部材４０を解錠すると、第三錠部材６０も解錠されるので、ロフストランドクラッチの長さ調整がし易い。
【００２０】
図３、図５、図８、図９に示すように、本考案に係る実施例によれば、その棒体１１はさらに、第三連接管１１６及び第四錠部材７０を有し、該第三連接管１１６は、伸縮可能に第二連接管１１３に連接され、該第四錠部材７０は、選択可能に第三連接管１１６を第二連接管１１３に位置決めてロックさせる。この構成によれば、その第二連接管１１３及び第三連接管１１６が伸縮可能に連接されることから、棒体１１の長さを調整することができるので、それぞれの使用者に応じて棒体１１の長さを適当に調整することができる。
【００２１】
前記第三連接管１１６は、その側壁を貫通する第四貫通穴１１７を備え、前記第二連接管１１３は、第三連接管１１６に環装され、その相対する上下両端の間に、複数の第二位置決め穴１１５が一直線に配列するように形成される。
一方、前記第四錠部材７０は、第三連接管１１６の内部に嵌設されると共に、第四取付座７１と、第四ボタン７２と、第四弾性ユニット７３を備え、そのうち、第四取付座７１は、第四貫通穴１１７に対応するように第三連接管１１６に嵌設され、該第四ボタン７２は、第四貫通穴１１７に貫設されつつ第四取付座７１に嵌合されると共に、外端を備え、該第四弾性ユニット７３は、第四取付座７１に嵌め込まれ、その両端がそれぞれ第四取付座７１及び第四ボタン７２に当接され、この構造によれば、第四ボタン７２を弾性移動可能に第三連接管１１６の側壁の第四貫通穴１１７に嵌設することができる。
【００２２】
また、本考案の構成によれば、その第四ボタン７２の外端を第二連接管１１３の一方の第二位置決め穴１１５に係合すると、第三連接管１１６が第二連接管１１３に位置決められてロックされ、反対に、その第四ボタン７２の外端を押圧して第二位置決め穴１１５から離脱させると、第三連接管１１６が第二連接管１１３に対して摺動することができるようになる。つまり、本考案に係るロフストランドクラッチは、第四ボタン７２が第二連接管１１３の何れかの１つの第二位置決め穴１１５に係合されることによって、その長さをそれぞれの使用者に応じて適当に調整することができる。
【００２３】
上述したように、本考案に係るロフストランドクラッチは、以下に示すようなメリットを有する。
前記棒体１１が伸縮可能であることから、その長さが調整可能となるので、コンパクトな状態に縮めることができると共に、前記前腕支持部材３０を下方へ摺動させて杖部材１０の側まで縮退調整することもできる。この構成によれば、本考案に係るロフストランドクラッチを縮めることにより、全体の体積を小さくできるので、収納しやすくなる。すなわち、その棒体１１と前腕支持棒３１共に調整可能であることから、本考案に係るロフストランドクラッチの長さをそれぞれの使用者に応じて調整することができる。
【符号の説明】
【００２４】
１０ フレーム
１０ 杖部材
１１ 棒体
１１０ 第一貫通穴
１１１ 第一連接管
１１２ 第二ロック穴
１１３ 第二連接管
１１４ 第三貫通穴
１１５ 第二位置決め穴
１１６ 第三連接管
１１７ 第四貫通穴
１２ グリップ
２０ 調整部材
２１ 貫設穴
２２ 挿設凹部
２３ 第一ロック穴
２４ 傾斜面
３０ 前腕支持部材
３１ 前腕支持棒
３１１ 第一先腕支持管
３１２ 第二貫通穴
３１３ 第二先腕支持管
３１４ 位置決め穴
３２ カフ
４０ 第一錠部材
４１ 第一取付座
４２ 第一ボタン
４３ 第一弾性ユニット
５０ 第二錠部材
５１ 第二取付座
５２ 第二ボタン
５３ 第二弾性ユニット
６０ 第三錠部材
６１ 第三取付座
６２ 第三ボタン
６３ 第三弾性ユニット
７０ 第四錠部材
７１ 第四取付座
７２ 第四ボタン
７３ 第四弾性ユニット
【図１】
0003211443.tif 000003
【図２】
0003211443.tif 000004
【図３】
0003211443.tif 000005
【図４】
0003211443.tif 000006
【図５】
0003211443.tif 000007
【図６】
0003211443.tif 000008
【図７】
0003211443.tif 000009
【図８】
0003211443.tif 000010
【図９】
0003211443.tif 000011
【図１０】
0003211443.tif 000012